(57)【要約】【課題】部品点数の増加を抑制できる光走査装置を提供する。【解決手段】光走査装置１Ａは、ポリゴンミラー３１と、モーター３３と、枠体５０とを備える。枠体５０は、ポリゴンミラー３１及びモーター３３の周囲に配置される。遮断部５１、遮断部５２ａ、第１経路部５４、保持部５６、及び第２経路部５８のうち少なくとも１つが枠体５０と一体に形成される。遮断部５１及び遮断部５２ａの各々は、ポリゴンミラー３１が反射した光のうち規定の光路を外れた光を遮断する。第１経路部５４は、モーター３３に接続される配線の経路を形成する。保持部５６は、温度を測定する温度センサーＴを保持する。第２経路部５８は、温度センサーＴに接続される配線の経路を形成する。【選択図】図２
2015200848.tif 000002
【特許請求の範囲】
【請求項１】
被走査体上で光を走査することによって前記被走査体上に像を形成する光走査装置であって、
入射した光を回転しながら反射するポリゴンミラーと、
前記ポリゴンミラーを回転させるモーターと、
前記ポリゴンミラー及び前記モーターの周囲に配置される枠体と
を備え、
遮断部、第１経路部、保持部、及び第２経路部のうち少なくとも１つが前記枠体と一体に形成され、
前記遮断部は、前記ポリゴンミラーが反射した前記光のうち規定の光路を外れた光を遮断し、
前記第１経路部は、前記モーターに接続される配線の経路を形成し、
前記保持部は、温度を測定する温度センサーを保持し、
前記第２経路部は、前記温度センサーに接続される配線の経路を形成する、光走査装置。
【請求項２】
前記ポリゴンミラー及び前記モーターが設けられる筐体と、
前記筐体の上面を覆うカバーと
をさらに備え、
前記遮断部が形成される前記枠体は、前記カバー及び前記筐体のうちのいずれかに固定される、請求項１に記載の光走査装置。
【請求項３】
前記遮断部は、前記ポリゴンミラーの回転方向に基づいて定められた位置に配置される、請求項１又は請求項２に記載の光走査装置。
【請求項４】
前記ポリゴンミラー及び前記モーターが設けられる筐体をさらに備え、
前記第１経路部、前記保持部、及び前記第２経路部のうち少なくとも１つが形成される前記枠体は、前記筐体に固定される、請求項１に記載の光走査装置。
【請求項５】
前記枠体には、前記第１経路部及び前記第２経路部のうち少なくとも１つが前記枠体と一体に形成されており、
前記第１経路部及び前記第２経路部のうち少なくとも１つには、前記配線の移動を規制する規制部が形成される、請求項１から請求項４のいずれか１項に記載の光走査装置。
【請求項６】
請求項１から請求項５のいずれか１項に記載の光走査装置と、
前記光走査装置によって前記被走査体に形成された前記像に基づいて、シートに画像を形成する画像形成部と
を備える画像形成装置。
【発明の詳細な説明】
【技術分野】
【０００１】
本発明は、光走査装置及び画像形成装置に関する。
【背景技術】
【０００２】
特許文献１に記載された光走査装置は、ポリゴンミラーとｆθレンズとの間に防風部材を配置する。その結果、ポリゴンミラーの回転によって流れる熱風がｆθレンズに吹き付けられることを防止する。
【先行技術文献】
【特許文献】
【０００３】
【特許文献１】特開２００７−７９５１５号公報
【発明の概要】
【発明が解決しようとする課題】
【０００４】
しかしながら、特許文献１に記載された光走査装置には、次のような課題がある。すなわち、防風部材は、単独の部品として形成されて、光走査装置の筐体に固定される。さらに、光走査装置は、防風部材の他にも様々な光学部品、電子部品、保持部材、及び配線経路を有する。従って、特許文献１に記載された光走査装置では、部品点数が多く、コストが高くなる。
【０００５】
本発明は上記課題に鑑みてなされたものであり、その目的は、部品点数の増加を抑制できる光走査装置及び画像形成装置を提供することにある。
【課題を解決するための手段】
【０００６】
本発明の第１の観点によれば、光走査装置は、被走査体上で光を走査することによって前記被走査体上に像を形成する。光走査装置は、ポリゴンミラーと、モーターと、枠体とを備える。ポリゴンミラーは、入射した光を回転しながら反射する。モーターは、前記ポリゴンミラーを回転させる。枠体は、前記ポリゴンミラー及び前記モーターの周囲に配置される。遮断部、第１経路部、保持部、及び第２経路部のうち少なくとも１つが前記枠体と一体に形成される。前記遮断部は、前記ポリゴンミラーが反射した前記光のうち規定の光路を外れた光を遮断する。前記第１経路部は、前記モーターに接続される配線の経路を形成する。前記保持部は、温度を測定する温度センサーを保持する。前記第２経路部は、前記温度センサーに接続される配線の経路を形成する。
【０００７】
本発明の第２の観点によれば、画像形成装置は、第１の観点に係る光走査装置と、画像形成部とを備える。画像形成部は、前記光走査装置によって前記被走査体に形成された前記像に基づいて、シートに画像を形成する。
【発明の効果】
【０００８】
本発明によれば、枠体は、モーターの周囲に配置されているため、モーターに起因する暖気の拡散を抑制する。さらに、遮断部、第１経路部、保持部、及び第２経路部のうち少なくとも１つが枠体と一体に形成される。暖気の拡散を抑制する枠体に、他の機能を有する部材を一体形成することによって、部品点数の増加を抑制できる。
【図面の簡単な説明】
【０００９】
【図１】図１は、本発明の実施形態に係る画像形成装置の内部構造を示す断面図である。
【図２】図２は、本発明の実施形態に係るレーザースキャニングユニットの内部構造を示す平面図である。
【図３】図３は、本発明の実施形態に係るレーザースキャニングユニットの内部構造を示す斜視図である。
【図４】図４は、本発明の実施形態に係るレーザースキャニングユニットの内部構造を示す斜視図である。
【図５】図５（ａ）は、本発明の実施形態に係るレーザースキャニングユニットの２つの遮断部のうちの一方を説明する図であり、図５（ｂ）は、２つの遮断部のうちの他方を説明する図である。
【図６】図６（ａ）は、本発明の実施形態に係るレーザースキャニングユニットの保持部を示す斜視図であり、図６（ｂ）は、保持部を示す断面図である。
【図７】図７は、本発明の実施形態に係るレーザースキャニングユニットの外観を示す斜視図である。
【発明を実施するための形態】
【００１０】
以下、本発明の実施形態について、図面を参照しながら説明する。なお、図中、同一又は相当部分については同一の参照符号を付して説明を繰り返さない。
【００１１】
図１は、本発明の実施形態に係る画像形成装置１００の内部構造を示す断面図である。画像形成装置１００は、本実施形態ではプリンターである。画像形成装置１００は、給送部１０、搬送部１５、画像形成部２０、書込み部３０、定着部７０、及び排出部８０を備える。
【００１２】
給送部１０は、カセット１２を含み、カセット１２に収容されたシートを搬送部１５へ給送する。搬送部１５は画像形成部２０にシートを搬送する。
【００１３】
画像形成部２０は、感光体ドラム２１ＢＫ（被走査体）、感光体ドラム２１Ｙ（被走査体）、感光体ドラム２１Ｃ（被走査体）、及び感光体ドラム２１Ｍ（被走査体）、並びにユニット２０ＢＫ、ユニット２０Ｙ、ユニット２０Ｃ、及びユニット２０Ｍを含む。ユニット２０ＢＫ〜ユニット２０Ｍの各々は、帯電器、現像器、除電器、及びクリーナーを含む。ユニット２０ＢＫ〜ユニット２０Ｍの帯電器は、それぞれ、感光体ドラム２１ＢＫ〜感光体ドラム２１Ｍを帯電状態にする。
【００１４】
書込み部３０は、本発明の実施形態に係るレーザースキャニングユニット１Ａ（光走査装置）（以下、「ＬＳＵ１Ａ」と記載する。）及びレーザースキャニングユニット１Ｂ（光走査装置）（以下、「ＬＳＵ１Ｂ」と記載する。）を含む。ＬＳＵ１Ａは感光体ドラム２１ＢＫ及び感光体ドラム２１Ｙに対応して配置され、ＬＳＵ１Ｂは感光体ドラム２１Ｃ及び感光体ドラム２１Ｍに対応して配置される。
【００１５】
ＬＳＵ１Ａは、帯電状態の感光体ドラム２１ＢＫ上で主走査方向にレーザー光（光）を走査することによって感光体ドラム２１ＢＫ上に静電潜像（像）を形成する。ＬＳＵ１Ａは、帯電状態の感光体ドラム２１Ｙ上で主走査方向にレーザー光（光）を走査することによって感光体ドラム２１Ｙ上に静電潜像（像）を形成する。
【００１６】
ＬＳＵ１Ｂは、帯電状態の感光体ドラム２１Ｃ上で主走査方向にレーザー光（光）を走査することによって感光体ドラム２１Ｃ上に静電潜像（像）を形成する。ＬＳＵ１Ｂは、帯電状態の感光体ドラム２１Ｍ上で主走査方向にレーザー光（光）を走査することによって感光体ドラム２１Ｍ上に静電潜像（像）を形成する。
【００１７】
感光体ドラム２１ＢＫ〜感光体ドラム２１Ｍに対する主走査方向は、それぞれ、感光体ドラム２１ＢＫ〜感光体ドラム２１Ｍの回転軸に平行である。
【００１８】
ユニット２０ＢＫ、ユニット２０Ｙ、ユニット２０Ｃ、及びユニット２０Ｍの現像器は、それぞれ、感光体ドラム２１ＢＫ、感光体ドラム２１Ｙ、感光体ドラム２１Ｃ、及び感光体ドラム２１Ｍの周面に形成された静電潜像を現像して、感光体ドラム２１ＢＫ、感光体ドラム２１Ｙ、感光体ドラム２１Ｃ、及び感光体ドラム２１Ｍの周面にブラック色、イエロー色、シアン色、及びマゼンダ色のトナー像を形成する。
【００１９】
画像形成部２０は一次転写ベルト２４及び二次転写ローラー２３をさらに含む。一次転写ベルト２４には、感光体ドラム２１ＢＫ〜感光体ドラム２１Ｍに形成されたトナー像が重畳して転写され、カラーの画像が形成される。二次転写ローラー２３は、一次転写ベルト２４との間にシートを挟み込んで、一次転写ベルト２４に形成された画像をシートに転写する。
【００２０】
以上、画像形成部２０は、ＬＳＵ１Ａ及びＬＳＵ１Ｂによって感光体ドラム２１ＢＫ〜感光体ドラム２１Ｍ上に形成された静電潜像に基づいて、シートに画像を形成する。
【００２１】
搬送部１５は、画像が形成されたシートを定着部７０に搬送する。定着部７０は、シートを加熱及び加圧して、画像をシートに定着させる。搬送部１５は、画像が定着されたシートを排出部８０に搬送する。排出部８０は排出トレイにシートを排出する。
【００２２】
以下、図１〜図７を参照して、ＬＳＵ１Ａ及びＬＳＵ１Ｂの詳細を説明する。なお、ＬＳＵ１Ｂの構成は、ＬＳＵ１Ａの構成と同じであるため、説明を省略する。つまり、ＬＳＵ１Ｂについては、ＬＳＵ１Ａの説明において、ＬＳＵ１ＡをＬＳＵ１Ｂと読み替え、感光体ドラム２１ＢＫを感光体ドラム２１Ｃと読み替え、感光体ドラム２１Ｙを感光体ドラム２１Ｍと読み替える。
【００２３】
図１に示すように、ＬＳＵ１Ａは、筐体３７ａと、蓋３７ｂ（カバー）と、ポリゴンミラー３１と、モーター３３と、出射光学系３５Ａと、出射光学系３５Ｂとを備える。蓋３７ｂは筐体３７ａの上面を覆う。ポリゴンミラー３１は、筐体３７ａに設けられ、回転しながらレーザー光（光）を反射する。モーター３３は、筐体３７ａに設けられ、ポリゴンミラー３１を回転させる。
【００２４】
出射光学系３５Ａ及び出射光学系３５Ｂは、筐体３７ａに設けられ、それぞれ、ポリゴンミラー３１が反射したレーザー光を感光体ドラム２１ＢＫ及び感光体ドラム２１Ｙに出射する。
【００２５】
図２は、ＬＳＵ１Ａの内部構造を示す平面図である。筐体３７ａの略中央領域には、ポリゴンミラー３１及びモーター３３が配置される。ＬＳＵ１Ａは枠体５０をさらに備える。枠体５０は、ポリゴンミラー３１及びモーター３３の周囲に配置される。枠体５０は筐体３７ａに固定される。この場合、圧入による接合によって、枠体５０を筐体３７ａに固定することが好ましい。枠体５０を筐体３７ａにビスにより固定する場合よりも、ビスの使用数を削減でき、さらに組立工数を削減できる。その結果、コストを低減することができる。
【００２６】
枠体５０及びポリゴンミラー３１を挟むように、２個のｆθレンズ４７が筐体３７ａに配置される。２個のｆθレンズ４７のうちの一方及び他方は、それぞれ、出射光学系３５Ａの一部及び出射光学系３５Ｂの一部を構成する。
【００２７】
ＬＳＵ１Ａは、入射光学系３９Ａ及び入射光学系３９Ｂをさらに備える。入射光学系３９Ａと入射光学系３９Ｂとは、モーター３３の回転軸ＡＸに対して対称に筐体３７ａに配置される。入射光学系３９Ａは出射光学系３５Ａのｆθレンズ４７に対応して配置され、入射光学系３９Ｂは出射光学系３５Ｂのｆθレンズ４７に対応して配置される。入射光学系３９Ａ及び入射光学系３９Ｂの各々は、ポリゴンミラー３１にレーザー光を照射する。
【００２８】
具体的には、入射光学系３９Ａ及び入射光学系３９Ｂの各々は、レーザーダイオード４１、コリメーターレンズ４３、及びシリンドリカルレンズ４５を含む。レーザーダイオード４１はレーザー光を出射する。コリメーターレンズ４３は、レーザーダイオード４１が出射したレーザー光を平行光にする。シリンドリカルレンズ４５は、コリメーターレンズ４３から入射された平行光をポリゴンミラー３１上で線状に結像させる。
【００２９】
ポリゴンミラー３１にはモーター３３の回転軸ＡＸが固定される。従って、モーター３３が回転方向Ｒに回転すると、ポリゴンミラー３１は回転方向Ｒに回転する。具体的には、モーター３３は、ポリゴンミラー３１の反射面のうち入射光学系３９Ｂに対向する反射面が最短で入射光学系３９Ａに対向するようにポリゴンミラー３１を回転させる。
【００３０】
そして、ポリゴンミラー３１は、入射光学系３９Ａから入射されたレーザー光を偏向し、出射光学系３５Ａのｆθレンズ４７に出射する。さらに、ｆθレンズ４７は、偏向されたレーザー光の感光体ドラム２１ＢＫ上での走査速度を一定化する。同時に、ポリゴンミラー３１は、入射光学系３９Ｂから入射されたレーザー光を偏向し、出射光学系３５Ｂのｆθレンズ４７に出射する。さらに、ｆθレンズ４７は、偏向されたレーザー光の感光体ドラム２１Ｙ上での走査速度を一定化する。
【００３１】
出射光学系３５Ａのｆθレンズ４７から出射されたレーザー光の感光体ドラム２１ＢＫ上での主走査方向は第１方向Ｓ１である。一方、出射光学系３５Ｂのｆθレンズ４７から出射されたレーザー光の感光体ドラム２１Ｙ上での主走査方向は第１方向Ｓ１と反対の第２方向Ｓ２である。
【００３２】
以下、図２〜図７を参照して、枠体５０の詳細を説明する。なお、第１方向Ｓ１及び第２方向Ｓ１を総称して主走査方向と記載する。図３及び図４は、ＬＳＵ１Ａの内部構造を示す斜視図である。図２〜図４に示すように、枠体５０はモーター３３からの暖気の拡散を低減する。具体的には次の通りである。モーター３３は、駆動されることによって熱を発生するため、ＬＳＵ１Ａの内部の温度が上昇し、光学部品及び周辺部材が熱変形を起こす可能性がある。従って、感光体ドラム２１ＢＫ〜感光体ドラム２１Ｍに形成された静電潜像に基づく４色のトナー像がずれて重畳される可能性がある。つまり、画像の色ずれが発生する可能性がある。
【００３３】
そこで、ＬＳＵ１Ａの内部に配置したサーミスター（温度センサー）によって内部温度を検知し、レジストレーション補正を実行して、画像の色ずれを低減する。レジストレーション補正が実行される間の温度の上昇を抑制することは、ＬＳＵ１Ａの内部の飽和温度を低減させることより重要である。つまり、レジストレーション補正実行期間の温度の上昇勾配を小さくすることは重要である。
【００３４】
そこで、枠体５０は、温度の上昇勾配を小さくするために、ＬＳＵ１Ａの内部での暖気の拡散を低減する。さらに、枠体５０は、暖気の拡散を低減する機能の他、追加の機能を有する。具体的には、遮断部５１、遮断部５２ａ、経路部５４（第１経路部）、保持部５６、及び経路部５８（第２経路部）が枠体５０と一体に形成される。
【００３５】
遮断部５１及び遮断部５２ａの各々は、ポリゴンミラー３１が反射したレーザー光（光）のうち規定の光路を外れた光を遮断する。つまり、遮断部５１及び遮断部５２ａの各々はフレアを防止する。フレアとは、ポリゴンミラーからｆθレンズへの入射光の一部が、ｆθレンズによって反射され、規定の光路を一旦外れた後に、像面まで到達する現象のことである。フレアを防止することによって、画像に表れるノイズを抑制できる。
【００３６】
フレアの原因となる規定の光路を外れた光の発生場所は、ポリゴンミラー３１の回転方向Ｒに依存する。従って、本実施形態では、遮断部５１及び遮断部５２ａの各々は、ポリゴンミラー３１の回転方向Ｒに基づいて定められた位置に配置される。その結果、ポリゴンミラー３１の回転方向Ｒに依存して発生するフレアを適切に防止できる。
【００３７】
遮断部５１は、出射光学系３５Ｂのｆθレンズ４７よりも出射光学系３５Ａのｆθレンズ４７の近くに配置される。遮断部５１は、出射光学系３５Ａのｆθレンズ４７と出射光学系３５Ｂのｆθレンズ４７との互いに対向する端部の間に配置される。遮断部５１は、出射光学系３５Ａのｆθレンズ４７の両端部のうち入射光学系３９Ａに近い端部の近くに配置される。
【００３８】
図５（ａ）は遮断部５１を説明する図である。遮断部５１を設けない場合は、ポリゴンミラー３１から出射光学系３５Ａのｆθレンズ４７への入射光の一部（フレア光）は、パスＰ１を通り、出射光学系３５Ｂのｆθレンズ４７に入射し、感光体ドラム２１Ｙに到達するため、フレアが発生する。しかしながら、本実施形態では、遮断部５１をパスＰ１に配置することによって、フレア光が出射光学系３５Ｂのｆθレンズ４７に入射することを防止する。その結果、フレアが防止される。
【００３９】
図５（ｂ）は遮断部５２ａを説明する図である。遮断部５２ａは壁部５２の一部として形成される。壁部５２は、主走査方向に沿って延びており、ポリゴンミラー３１と出射光学系３８Ｂのｆθレンズ４７との間に配置される。壁部５２には開口５２ｂが形成され、ポリゴンミラー３１からｆθレンズ４７への光路が確保される。遮断部５２ａは、出射光学系３５Ｂのｆθレンズ４７の両端部のうち入射光学系３９Ｂから遠い端部とポリゴンミラー３１との間に配置される。
【００４０】
遮断部５２ａを設けない場合は、ポリゴンミラー３１から出射光学系３５Ｂのｆθレンズ４７への入射光の一部（フレア光）は、パスＰ２を通り、ポリゴンミラー３１に戻ってくる。そして、フレア光は、出射光学系３５Ｂのｆθレンズ４７に入射し、感光体ドラム２１Ｙに到達するため、フレアが発生する。しかしながら、本実施形態では、遮断部５２ａをパスＰ２に配置することによって、フレア光がポリゴンミラー３１に戻ってくることを防止する。その結果、フレアが防止される。
【００４１】
図２〜図４に戻って、枠体５０の構成要素の説明を続ける。経路部５４は、主走査方向に沿って延びる壁部であり、ポリゴンミラー３１と出射光学系３８Ａのｆθレンズ４７との間に配置される。経路部５４には単数又は複数の規制部５４ａが形成される。本実施形態では、２個の規制部５４ａが形成される。
【００４２】
ＬＳＵ１Ａは経路部材６０をさらに備える。経路部材６０は、筐体３７ａから起立し、主走査方向に沿って延びる壁部である。経路部材６０は、枠体５０と出射光学系３５Ａのｆθレンズ４７との間に配置される。経路部材６０には単数又は複数の規制部６０ａが形成される。本実施形態では、２個の規制部６０ａが形成される。規制部６０ａは、経路部５４に向かって主走査方向に直交する方向に延びる。一方、規制部５４ａは、経路部材６０に向かって、主走査方向に直交する方向に延びる。
【００４３】
経路部５４及び経路部材６０は、モーター３３に接続される配線の経路を形成する。その結果、モーター３３の配線経路が確保される。具体的には、経路部５４と経路部材６０と筐体３７ａとによって、主走査方向に延びる溝部６２が形成される。溝部６２には、モーター３３に接続される配線が配置される。また、規制部５４ａ及び規制部６０ａの各々は、溝部６２に配置された配線の移動を規制する。その結果、配線の浮き上がりが防止される。
【００４４】
なお、経路部５４のうちポリゴンミラー３１と対向する部分には開口が形成され、経路部材６０のうち出射光学系３５Ａのｆθレンズ４７と対向する部分には開口６１が形成される。その結果、ポリゴンミラー３１からｆθレンズ４７への光路が確保される。
【００４５】
保持部５６は、枠体５０の主走査方向に沿った両端部のうち、入射光学系３９Ａ及び入射光学系３９Ｂに近い端部に配置される。保持部５６は、筐体３７ａの中心線上に配置される。中心線は、主走査方向に平行であり、回転軸ＡＸを通る直線である。
【００４６】
図６（ａ）及び図６（ｂ）は、それぞれ、保持部５６を示す斜視図及び断面図である。図７は、ＬＳＵ１Ａの外観を示す斜視図である。図６（ａ）及び図６（ｂ）に示すように、保持部５６はサーミスターＴ（温度センサー）を保持する。サーミスターＴは、筐体３７ａの内部の温度を測定する。例えば、サーミスターＴが測定した温度はレジストレーション補正のために利用される。
【００４７】
保持部５６は、断面Ｖ字状の載置部５６ａを有する。載置部５６ａには、例えば、円柱状のサーミスターＴが載置される。そして、載置部５６ａと押さえ部３７ｃとでサーミスターＴを挟むことによって、サーミスターＴを保持する。押さえ部３７ｃは蓋３７ｂの下面に形成される。図７に示すように、蓋３７ｂで筐体３７ａの上面を覆い、押さえ部３７ｃによってサーミスターＴを上方から押える。
【００４８】
図２〜図４に戻って、枠体５０の構成要素の説明を続ける。経路部５８は、保持部５６よりも入射光学系３９Ａ及び入射光学系３９Ｂの近くに配置される。経路部５８には単数又は複数の規制部５８ａが形成される。本実施形態では、１個の規制部５８ａが形成される。規制部６０ａは、保持部５６に向かって主走査方向に延びる。
【００４９】
経路部５８は、保持部５６によって保持されたサーミスターＴに接続される配線の経路を形成する。その結果、サーミスターＴの配線経路が確保される。具体的には、経路部５８と筐体３７ａとによって逆Ｌ字状の溝部５９が形成される。溝部５９には、サーミスターＴに接続される配線が配置される。また、規制部５８ａは、溝部５９に配置された配線の移動を規制する。その結果、配線の浮き上がりが防止される。
【００５０】
以上、図１〜図７を参照して説明したように、本実施形態によれば、枠体５０は、モーター３３の周囲に配置されているため、モーター３３に起因する暖気の拡散を抑制する。さらに、遮断部５１、遮断部５２ａ、経路部５４、保持部５６、及び経路部５８が枠体５０と一体に形成される。暖気の拡散を抑制する枠体５０に、他の機能を有する部材（遮断部５１、遮断部５２ａ、経路部５４、保持部５６、及び経路部５８）を一体形成することによって、部品点数の増加を抑制できる。その結果、コストを低減できる。
【００５１】
なお、一般的には、フレアを防止するための遮断部材、モーターの配線経路を形成するための経路部材、サーミスターを保持するための保持部材、及びサーミスターの配線経路を形成するための経路部材は、それぞれ、暖気の拡散を抑制するための枠体とは別部材として形成される。その結果、部品点数が増加し、コストを低減することが困難である。
【００５２】
また、図２を参照して説明したように、本実施形態によれば、枠体５０は筐体３７ａに固定される。従って、遮断部５１及び遮断部５２ａだけでなく、経路部５４、保持部５６、及び経路部５８を枠体５０に設けることができる。
【００５３】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００５４】
（１）本実施形態では、遮断部５１、遮断部５２ａ、経路部５４、保持部５６、及び経路部５８を枠体５０と一体に形成した。ただし、枠体５０を筐体３７ａに固定する場合は、遮断部５１、遮断部５２ａ、経路部５４、保持部５６、及び経路部５８のうちの少なくとも１つを枠体５０と一体に形成できる。一方、枠体５０を蓋３７ｂに固定することもできる。この場合は、遮断部５１及び遮断部５２ａのうちの少なくとも１つを枠体５０と一体に形成できる。
【００５５】
（２）経路部５４、保持部５６、及び経路部５８のうち少なくとも１つが形成される枠体５０は、筐体３７ａに固定されてよい。一方、遮断部５１及び／又は遮断部５２ａが形成される枠体は、筐体３７ａ及び蓋３７ｂのうちのいずれかに固定されてよい。
【００５６】
（３）本実施形態では、経路部５４に規制部５４ａを設け、経路部５８に規制部５８ａを設けたが、経路部５４に規制部５４ａを設け、経路部５８に規制部５８ａを設けないこともできるし、経路部５８に規制部５８ａを設け、経路部５４に規制部５４ａを設けないこともできる。
【００５７】
（４）モーター３３の回転方向は、回転方向Ｒに限定されず、回転方向Ｒと反対方向であってもよい。この場合、遮断部５１は、筐体３７ａを通る中心線に対して、図２の遮断部５１と線対称となるように配置される。また、遮断部５２ａは、経路部５４に形成され、筐体３７ａを通る中心線に対して、図２の遮断部５２ａと線対称となるように配置される。
【００５８】
（５）本実施形態では、画像形成装置１００は、プリンターであったが、複写機、ファクシミリ、又は複合機であってもよい。複合機は、複写機、プリンター、及びファクシミリのうち少なくとも２つの機器を備える。
【産業上の利用可能性】
【００５９】
本発明は、光走査装置及び光走査装置を搭載する画像形成装置の分野に利用可能である。
【符号の説明】
【００６０】
１Ａ    レーザースキャニングユニット（光走査装置）
１Ｂ    レーザースキャニングユニット（光走査装置）
２０    画像形成部
２１ＢＫ    感光体ドラム（被走査体）
２１Ｙ    感光体ドラム（被走査体）
２１Ｃ    感光体ドラム（被走査体）
２１Ｍ    感光体ドラム（被走査体）
３１    ポリゴンミラー
３３    モーター
３７ａ    筐体
３７ｂ    蓋（カバー）
５０    枠体
５１    遮断部
５２    壁部
５２ａ    遮断部
５４    経路部（第１経路部）
５４ａ    規制部
５６    保持部
５８    経路部（第２経路部）
５８ａ    規制部
１００    画像形成装置
ＡＸ    回転軸
Ｒ    回転方向
Ｓ１    第１方向（主走査方向）
Ｓ２    第２方向（主走査方向）
【図１】
2015200848.tif 000003
【図２】
2015200848.tif 000004
【図３】
2015200848.tif 000005
【図４】
2015200848.tif 000006
【図５】
2015200848.tif 000007
【図６】
2015200848.tif 000008
【図７】
2015200848.tif 000009